(57)【特許請求の範囲】
【請求項１】
前方へ立設された覆い立ての先端部に、上下方向を軸とした片開き可能に配線覆い用カバーを取り付けるための配線覆い用カバーの取付構造であって、
基部と、前記基部の前側に設けられ、前方から第２固定ネジをねじ込み可能なネジ止め部と、前記ネジ止め部の右側に設けられ、前方へ開口して前記配線覆い用カバーの軸を軸支可能な軸支部とを一体的に有するブロック状の第２矯正金具が設けられているとともに、
上下方向へ長い板状の本体と、本体の上部に設けられ、前方から第１固定ネジをねじ込み可能なネジ孔と、前記本体の前面で前記ネジ孔の下側において上下方向へ延びており、左右方向へ所定の間隔を隔てて対向するように前方に立設された一対のアーム片と、前記アーム片の下側に設けられ、両前記アーム片間を塞いでいる支持部と、前記支持部を上下に貫通しており、矯正ネジをねじ込み可能な矯正孔とを有し、両前記アーム片間の空間が、前記第２矯正金具の前記基部を嵌め込むことで、前記基部の上下方向への移動を案内可能な案内部とされた第１矯正金具が設けられており、
前記覆い立ての先端部と前記配線覆い用カバーとの間において、前記先端部の前面に前記第１固定ネジを用いて前記第１矯正金具が固定されているとともに、前記第１矯正金具に対して、前記案内部に前記基部を嵌め込んだ状態で前記第２固定ネジを用いて前記第２矯正金具が固定され、該第２矯正金具に前記配線覆い用カバーが取り付けられている一方、
前記第２固定ネジを一旦緩め、前記支持部の下側から前記矯正ネジをねじ込み、前記矯正ネジの先端で前記第２矯正金具を押し上げることにより、前記案内部での前記第２矯正金具の上下方向での位置を調整した後、前記第２固定ネジを再び締めつけることで、前記配線覆い用カバーの片下がりを矯正することができることを特徴とする配線覆い用カバーの取付構造。
【請求項２】
前方へ立設された覆い立ての先端部に、上下方向を軸とした片開き可能に配線覆い用カバーを取り付けるための配線覆い用カバーの取付構造であって、
後側及び左側に開口する箱状に形成されており、前面、上面、右側面、及び下面により囲まれる後側の空間へ、覆い立ての先端部が、その上端面及び下端面を上面及び下面の内面に夫々当接させた状態で嵌め込まれることで、前記先端部の上端面及び下端面に沿って左右方向へスライド可能とされた第１矯正金具を設け、
前記第１矯正金具の前面右部に、前記先端部に第１固定ネジを利用してネジ止めするためのネジ孔であって、左右方向へ長い長孔として形成された左右調整部を設けるとともに、前記第１矯正金具の前面左部に、第２矯正金具を固定するためのネジ孔を穿設し、該ネジ孔の下方に、下端位置にある前記第２矯正金具を下方から支持するための支持突起を前方へ突設し、さらに前記第２矯正金具の上下方向へのスライドを案内するための案内凸条を上下方向へ延設する一方、
前記第２矯正金具が、基部と、前記基部の後面側に設けられ、前記案内凸条を嵌め込み可能で、その内部を前記案内凸条が相対的に上下方向へ移動することができる案内部と、前記基部の上側に設けられ、自身を前記第１矯正金具に第２固定ネジを利用してネジ止めするためのネジ孔であって、上下方向へ長い長孔として形成された上下調整部と、前記基部の右側に設けられ、前方へ開口して前記配線覆い用カバーの軸を軸支可能な軸支部とを有しており、
前記覆い立ての先端部と前記配線覆い用カバーとの間において、前記先端部の前面に前記第１固定ネジを用いて前記第１矯正金具が固定されているとともに、前記第１矯正金具に対して、前記案内凸条を前記案内部内へ嵌め込んだ状態で前記第２固定ネジを用いて前記第２矯正金具が固定され、該第２矯正金具に前記配線覆い用カバーが取り付けられている一方、
前記第２固定ネジを一旦緩め、前記上下調整部を利用して前記第１矯正金具に対する前記第２矯正金具の上下方向での固定位置を調整するとともに、前記第１固定ネジを一旦緩め、前記左右調整部を利用して前記先端部に対する前記第１矯正金具の左右方向での固定位置を調整した後、前記第１固定ネジ及び前記第２固定ネジを再び締めつけることで、前記配線覆い用カバーの片下がりを上下方向及び左右方向において矯正することができることを特徴とする配線覆い用カバーの取付構造。
【発明の詳細な説明】
【技術分野】
【０００１】
本発明は、たとえば回路遮断器を収納する分電盤等に使用される電気機器収納用箱体において、配線覆い用カバーを取り付けるための取付構造に関するものである。
【背景技術】
【０００２】
従来、たとえば回路遮断器を収納する分電盤等に使用される電気機器収納用箱体の背板には、収納される分電盤等から延びる配線を覆うための配線覆い用カバーが取り付けられている。そして、この配線覆い用カバーは、背面に対し上下方向を軸とした片開き動作により開閉可能に蝶着されている（たとえば特許文献１）。
【先行技術文献】
【特許文献】
【０００３】
【特許文献１】実用新案登録第２５８６１２５号公報
【発明の概要】
【発明が解決しようとする課題】
【０００４】
しかしながら、上述したように配線覆い用カバーを蝶着すると、自重等により蝶着されていない側が片下がりしてしまい、配線覆い用カバーを閉じることができなくなるといった問題が生じてしまう。
【０００５】
そこで、本発明は、上記問題に鑑みなされたものであって、たとえ配線覆い用カバーが片下がりしたとしても、その片下がりを矯正することができ、配線覆い用カバーを確実に閉じることができる配線覆い用カバーの取付構造を提供しようとするものである。
【課題を解決するための手段】
【０００６】
上記目的を達成するために、本発明のうち請求項１に記載の発明は、前方へ立設された覆い立ての先端部に、上下方向を軸とした片開き可能に配線覆い用カバーを取り付けるための配線覆い用カバーの取付構造であって、基部と、前記基部の前側に設けられ、前方から第２固定ネジをねじ込み可能なネジ止め部と、前記ネジ止め部の右側に設けられ、前方へ開口して前記配線覆い用カバーの軸を軸支可能な軸支部とを一体的に有するブロック状の第２矯正金具が設けられているとともに、上下方向へ長い板状の本体と、本体の上部に設けられ、前方から第１固定ネジをねじ込み可能なネジ孔と、前記本体の前面で前記ネジ孔の下側において上下方向へ延びており、左右方向へ所定の間隔を隔てて対向するように前方に立設された一対のアーム片と、前記アーム片の下側に設けられ、両前記アーム片間を塞いでいる支持部と、前記支持部を上下に貫通しており、矯正ネジをねじ込み可能な矯正孔とを有し、両前記アーム片間の空間が、前記第２矯正金具の前記基部を嵌め込むことで、前記基部の上下方向への移動を案内可能な案内部とされた第１矯正金具が設けられており、前記覆い立ての先端部と前記配線覆い用カバーとの間において、前記先端部の前面に前記第１固定ネジを用いて前記第１矯正金具が固定されているとともに、前記第１矯正金具に対して、前記案内部に前記基部を嵌め込んだ状態で前記第２固定ネジを用いて前記第２矯正金具が固定され、該第２矯正金具に前記配線覆い用カバーが取り付けられている一方、前記第２固定ネジを一旦緩め、前記支持部の下側から前記矯正ネジをねじ込み、前記矯正ネジの先端で前記第２矯正金具を押し上げることにより、前記案内部での前記第２矯正金具の上下方向での位置を調整した後、前記第２固定ネジを再び締めつけることで、前記配線覆い用カバーの片下がりを矯正することができることを特徴とする。
また、上記目的を達成するために、本発明のうち請求項２に記載の発明は、前方へ立設された覆い立ての先端部に、上下方向を軸とした片開き可能に配線覆い用カバーを取り付けるための配線覆い用カバーの取付構造であって、後側及び左側に開口する箱状に形成されており、前面、上面、右側面、及び下面により囲まれる後側の空間へ、覆い立ての先端部が、その上端面及び下端面を上面及び下面の内面に夫々当接させた状態で嵌め込まれることで、前記先端部の上端面及び下端面に沿って左右方向へスライド可能とされた第１矯正金具を設け、前記第１矯正金具の前面右部に、前記先端部に第１固定ネジを利用してネジ止めするためのネジ孔であって、左右方向へ長い長孔として形成された左右調整部を設けるとともに、前記第１矯正金具の前面左部に、第２矯正金具を固定するためのネジ孔を穿設し、該ネジ孔の下方に、下端位置にある前記第２矯正金具を下方から支持するための支持突起を前方へ突設し、さらに前記第２矯正金具の上下方向へのスライドを案内するための案内凸条を上下方向へ延設する一方、前記第２矯正金具が、基部と、前記基部の後面側に設けられ、前記案内凸条を嵌め込み可能で、その内部を前記案内凸条が相対的に上下方向へ移動することができる案内部と、前記基部の上側に設けられ、自身を前記第１矯正金具に第２固定ネジを利用してネジ止めするためのネジ孔であって、上下方向へ長い長孔として形成された上下調整部と、前記基部の右側に設けられ、前方へ開口して前記配線覆い用カバーの軸を軸支可能な軸支部とを有しており、前記覆い立ての先端部と前記配線覆い用カバーとの間において、前記先端部の前面に前記第１固定ネジを用いて前記第１矯正金具が固定されているとともに、前記第１矯正金具に対して、前記案内凸条を前記案内部内へ嵌め込んだ状態で前記第２固定ネジを用いて前記第２矯正金具が固定され、該第２矯正金具に前記配線覆い用カバーが取り付けられている一方、前記第２固定ネジを一旦緩め、前記上下調整部を利用して前記第１矯正金具に対する前記第２矯正金具の上下方向での固定位置を調整するとともに、前記第１固定ネジを一旦緩め、前記左右調整部を利用して前記先端部に対する前記第１矯正金具の左右方向での固定位置を調整した後、前記第１固定ネジ及び前記第２固定ネジを再び締めつけることで、前記配線覆い用カバーの片下がりを上下方向及び左右方向において矯正することができることを特徴とする。
【発明の効果】
【０００７】
請求項１に記載の発明によれば、覆い立ての先端部と配線覆い用カバーとの間において、先端部の前面に第１固定ネジを用いて第１矯正金具が固定されているとともに、第１矯正金具に対して、案内部に基部を嵌め込んだ状態で第２固定ネジを用いて第２矯正金具が固定され、該第２矯正金具に配線覆い用カバーが取り付けられている。そして、第２固定ネジを一旦緩め、支持部の下側から矯正ネジをねじ込み、矯正ネジの先端で第２矯正金具を押し上げることにより、案内部での第２矯正金具の上下方向での位置を調整した後、第２固定ネジを再び締めつけることで、配線覆い用カバーの片下がりを矯正することができるようになっている。
また、請求項２に記載の発明によれば、覆い立ての先端部と配線覆い用カバーとの間において、先端部の前面に第１固定ネジを用いて第１矯正金具が固定されているとともに、第１矯正金具に対して、案内凸条を案内部内へ嵌め込んだ状態で第２固定ネジを用いて第２矯正金具が固定され、該第２矯正金具に配線覆い用カバーが取り付けられている。そして、第２固定ネジを一旦緩め、上下調整部を利用して第１矯正金具に対する第２矯正金具の上下方向での固定位置を調整するとともに、第１固定ネジを一旦緩め、左右調整部を利用して先端部に対する第１矯正金具の左右方向での固定位置を調整した後、第１固定ネジ及び第２固定ネジを再び締めつけることで、配線覆い用カバーの片下がりを上下方向及び左右方向において矯正することができるようになっている。
したがって、本発明によれば、たとえ配線覆い用カバーに片下がりが生じたとしても、第１矯正金具に対する第２矯正金具の固定位置を上下方向で調整することにより、配線覆い用カバーの片下がりを矯正することができ、配線覆い用カバーを確実に閉じることができる。
また、作業者は、片下がりを矯正するに際して、配線覆い用カバーを取り外したり、第１矯正金具と第２矯正金具とを分解したりする必要がなく、配線覆い用カバーの片下がりを非常に容易に矯正することができる。
さらに、特に請求項２に記載の発明によれば、取付構造全体としては上下方向のみならず、左右方向へも矯正させることができ、配線覆い用カバーの片下がりをより正確に矯正することができる。
【図面の簡単な説明】
【０００８】
【図１】片下がり矯正後の配線覆い用カバーの取付状態を示した斜視説明図である。
【図２】第１矯正金具を示した斜視説明図である。
【図３】第２矯正金具を示した斜視説明図である。
【図４】両矯正金具の組み付け状態を示した説明図であり、（ａ）は片下がり矯正前、（ｂ）は片下がり矯正後となっている。
【図５】片下がり矯正前の状態にある配線覆い用カバーの取付状態を示した斜視説明図である。
【図６】片下がり矯正前の状態にある取付構造の断面を示した説明図である。
【図７】片下がり矯正後の状態にある取付構造の断面を示した説明図である。
【図８】変更例となる第１矯正金具及び第２矯正金具を用いて配線覆い用カバーを取り付けた状態を示した説明図である。
【図９】第１矯正金具及び第２矯正金具を用いた配線覆い用カバーの取付構造の分解状態を示した説明図である。
【発明を実施するための形態】
【０００９】
以下、本発明の一実施形態となる配線覆い用カバーの取付構造について、図面にもとづき詳細に説明する。
【００１０】
図１は、片下がり矯正後の配線覆い用カバー２の取付状態を示した斜視説明図である。図２は、第１矯正金具１０を示した斜視説明図である。図３は、第２矯正金具２０を示した斜視説明図である。図４は、両矯正金具１０、２０の組み付け状態を示した説明図であり、（ａ）は片下がり矯正前、（ｂ）は片下がり矯正後となっている。図５は、片下がり矯正前の状態にある配線覆い用カバー２の取付状態を示した斜視説明図である。図６は、片下がり矯正前の状態にある取付構造の断面を示した説明図である。図７は、片下がり矯正後の状態にある取付構造の断面を示した説明図である。
【００１１】
１は、キャビネット等の電気機器収納用箱体の背板（図示せず）の前面に固定されるレール部材（たとえば図８に示す）の所定位置から前方へ立設される覆い立てであり、配線覆い用カバー２は、覆い立て１の前面に、矯正金具１０、２０を介して背板に対し上下方向を軸として片開き自在に取り付けられる。なお、レール部材は、上下方向へ長い角柱状に形成された金属製の部材であり、該レール部材の前面には、覆い立て１や電気機器を搭載するための固定金具等をボルトで固定するための固定孔が上下方向へ多数設けられている。また、覆い立て１は、前方へ延びる金属製のアーム体であって、基部側にはレール部材へ固定するための固定部３が設けられている一方、先端部４は鉛直平面として形成されており、第１矯正金具１０をネジ止めするためのネジ孔等が穿設されている。
【００１２】
ここで、まず本発明の要部となる第２矯正金具２０について説明すると、第２矯正金具２０は、第１矯正金具１０の案内部１４内へ上方から嵌め込み可能で、案内部１４内を上下方向へスライド可能な基部２１と、基部２１の前側に設けられ、前方から第２固定ネジ４２をねじ込み可能としたネジ止め部２２と、ネジ止め部２２の右側に設けられ、前方へ開口して配線覆い用カバー２の蝶着軸５を軸支可能な軸支部２３とを有するブロック体に形成されている。
【００１３】
次に、本発明の要部となる第１矯正金具１０について説明すると、第１矯正金具１０は、上下方向へ長い板状の本体１１を有しており、本体１１の上部には、第１固定ネジ（図示せず）を前側からねじ込むことにより、自身を覆い立て１の先端部４に固定するためのネジ孔１２が穿設されている。また、ネジ孔１２の下方には、左右方向に所定の間隔を隔てて対向するように前側へ立設された一対のアーム片１３、１３が上下方向へ延設されており、アーム片１３、１３間の空間が、第２矯正金具２０の基部２１を嵌め込み可能な案内部１４となっている。さらに、アーム片１３、１３の下方には、案内部１４の下側開口を塞ぐようにブロック状の支持部１５が設けられており、案内部１４内に嵌め込まれた第２矯正金具２０の基部２１を下方から支持可能となっている。加えて、該支持部１５の上面から下面にわたって貫通するように、矯正ネジ４０をねじ込み可能な矯正孔１６が設けられている。
【００１４】
そして、上記矯正金具１０、２０を用いた配線覆い用カバー２の取り付け、及び片下がり矯正について説明すると、まずレール部材へ固定された覆い立て１の前面に、第１固定ネジを用いて第１矯正金具１０を覆い立て１に強固にネジ止めする。次に、案内部１４内へ基部２１を嵌め込んだ状態で、第２固定ネジ４２をねじ込んで第１矯正金具１０の本体１１の表面に押し付けることにより、第２矯正金具２０を第１矯正金具１０に強固にネジ止めする（図４（ａ））。この際、支持部１５の下面側から矯正孔１６内へ矯正ネジ４０をねじ込んでおいてもよいが、その先端が案内部１４内へ突出しない状態とし、第２矯正金具２０の基部２１の下面が支持部１５の上面に当接し、基部２１が支持部１５により支持された状態とする（図６）。そして、第２矯正金具２０の軸支部２３に、配線覆い用カバー２の蝶着軸５を軸支させる。すると、取り付け直後は片下がりを矯正する必要もないことから、配線覆い用カバー２の取り付けは完了となる（図５）。
【００１５】
ただ、配線覆い用カバー２を取り付けてから時間が経つにつれ、どうしても配線覆い用カバー２は片下がりし、矯正する必要が生じる。そこで、配線覆い用カバー２に片下がりが生じると、第２固定ネジ４２を緩め、第２矯正金具２０を第１矯正金具１０に対して上下方向へ移動可能とする。その後、矯正ネジ４０の先端が案内部１４内へ突出するように、矯正ネジ４０をねじ込む。すると、第２矯正金具２０が矯正ネジ４０の先端に押し上げられる格好で、案内部１４内を上方へ移動する（図４（ｂ）、図７）。そこで、適当な高さ位置で第２固定ネジ４２を再び締めつけ、第２矯正金具２０を第１矯正金具１０に強固にネジ止めすれば、片下がりが矯正されることになる（図１）。
【００１６】
以上のような構成を有する配線覆い用カバー２の取付構造によれば、覆い立て１の先端部４に固定される第１矯正金具１０と、第１矯正金具１０に固定可能であるとともに、第１矯正金具に対して上下方向へ固定位置を調整可能な第２矯正金具２０とを介して、配線覆い用カバー２を覆い立て１に、ひいては電気機器収納用箱体に取り付けている。したがって、たとえ配線覆い用カバー２に片下がりが生じたとしても、第１矯正金具１０に対する第２矯正金具２０の固定位置を上下方向で調整することにより、配線覆い用カバー２の片下がりを矯正することができ、配線覆い用カバー２を確実に閉じることができる。
【００１７】
また、第１矯正金具１０に、左右方向に所定の間隔を隔てて対向するように前側へ立設された一対のアーム片１３、１３が上下を方向へ延設し、当該アーム片１３、１３間を第２矯正金具２０の基部２１を嵌め込み可能な案内部１４とするとともに、基部２１を下方から支える支持部１５を、案内部１４の下側開口を塞ぐように設け、さらに支持部１５に、矯正ネジ４０を、その先端が支持部１５の上面から案内部１４内へ突出可能に取り付けている。そして、矯正ネジ４０のねじ込み量を調整することにより、第２矯正金具２０の基部２１の案内部１４内での上下方向位置を、すなわち第２矯正金具２０の第１矯正金具１０に対する固定位置を上下方向で調整可能としている。したがって、作業者は、片下がりを矯正するに際して、配線覆い用カバー２を取り外したり、第１矯正金具１０と第２矯正金具２０とを分解したりする必要がなく、配線覆い用カバー２の片下がりを非常に容易に矯正することができる。
さらに、第１矯正金具１０及び第２矯正金具２０を、配線覆い用カバー２の蝶着部に設置しているため、蝶着部の近傍で配線覆い用カバー２の姿勢を矯正することができる。したがって、一層確実に配線覆い用カバー２の片下がりを矯正することができる。
【００１８】
なお、本発明に係る配線覆い用カバーの取付構造は、上記実施形態の態様に何ら限定されるものではなく、第１矯正金具や第２矯正金具の構成等について、本発明の趣旨を逸脱しない範囲で、必要に応じて適宜変更することができる。
【００１９】
たとえば、上記第１矯正金具及び第２矯正金具に代えて、図８及び図９に示すような第１矯正金具５０及び第２矯正金具６０を採用することも可能である。図８は、変更例となる第１矯正金具５０及び第２矯正金具６０を用いて配線覆い用カバー２を取り付けた状態を示した説明図である。図９は、第１矯正金具５０及び第２矯正金具６０を用いた配線覆い用カバー２の取付構造の分解状態を示した説明図である。なお、覆い立て１に関しては上記実施形態のものと同じであるため、図８及び図９では同じ符号を付している。また、図８及び図９における３０は、覆い立て１が固定されるレール部材であり、上記実施形態においても同様のレール部材３０が電気機器収納用箱体の背板に取り付けられている。
【００２０】
第１矯正金具５０は、後側及び左側に開口する箱状に形成されており、前面、上面、右側面、及び下面により囲まれる後側の空間が、覆い立て１の先端部４を、その上端面及び下端面を上面及び下面の内面に夫々当接させた状態で嵌め込み可能で、先端部４の上端面及び下端面に沿って左右方向へスライドする第１の案内部５１として機能するようになっている。また、第１矯正金具５０の前面右部には、自身を覆いたての先端部４に第１固定ネジ４１を利用してネジ止めするためのネジ孔が、左右方向へ長い長孔として形成されており、当該長孔が第１矯正金具５０の覆い立て１に対する固定位置を左右方向で調整するための左右調整部５２として機能するようになっている。さらに、第１矯正金具５０の前面左部には、第２矯正金具６０を固定するためのネジ孔５３が穿設されているとともに、該ネジ孔５３の下方には、下端位置にある第２矯正金具６０を下方から支持するための支持突起５４、及び第２矯正金具６０の上下方向へのスライドを案内するための案内凸条５５が上下方向へ延設されている。
【００２１】
第２矯正金具６０は、後面側に案内凸条５５を嵌め込み可能で、その内部を案内凸条５５が相対的に上下方向へ移動するための第２の案内部（図示せず）を有する基部６１を有する。また、基部６１の上側には、自身を第１矯正金具５０に第２固定ネジ４２を利用してネジ止めするためのネジ孔が、上下方向へ長い長孔として形成されており、当該長孔が第２矯正金具６０の第１矯正金具５０に対する固定位置を上下方向で調整するための上下調整部６２として機能するようになっている。さらに、基部６１の右側には、前方へ開口して配線覆い用カバー２の蝶着軸５を軸支可能な軸支部６３が設けられている。
【００２２】
上記矯正金具５０、６０を用いるにあたっては、第１の案内部５１内へ先端部４を嵌め込んだ状態で、第１固定ネジ４１を用いて第１矯正金具５０を覆い立て１に強固にネジ止めする。次に、第２の案内部内へ案内凸条５５を嵌め込んだ状態で、第２固定ネジ４２を用いて第２矯正金具６０を第１矯正金具５０に強固にネジ止めする。それから、第２矯正金具６０の軸支部６３に、配線覆い用カバー２の蝶着軸５を軸支させることで、配線覆い用カバー２の取り付けは完了となる。そして、当該配線覆い用カバー２に片下がりが生じると、上記実施形態同様、第２固定ネジ４２を緩め、第１矯正金具５０に対する第２矯正金具の上下方向での固定位置を調整するとともに、第１固定ネジ４１も緩め、覆い立て１に対する第１矯正金具５０の左右方向での固定位置を調整し、配線覆い用カバー２の片下がりを矯正することになる。
【００２３】
このような第１矯正金具５０及び第２矯正金具６０を用いた配線覆い用カバー２の取付構造によっても、配線覆い用カバー２に片下がりが生じた際、第１矯正金具５０に対する第２矯正金具６０の固定位置を上下方向で調整することにより、配線覆い用カバー２の片下がりを矯正することができ、配線覆い用カバー２を確実に閉じることができる。
また、第１矯正金具５０の覆い立て１に対する固定位置を左右方向でも調整することができるため、取付構造全体としては上下方向のみならず、左右方向へも矯正させることができ、配線覆い用カバー２の片下がりをより正確に矯正することができる。
【００２４】
さらに、第１矯正金具５０及び第２矯正金具６０を用いた場合にも、作業者は、片下がりを矯正するに際して、配線覆い用カバー２を取り外したり、第１矯正金具５０と第２矯正金具６０とを分解したりする必要がなく、配線覆い用カバー２の片下がりを非常に容易に矯正することができるといった効果や、第１矯正金具５０及び第２矯正金具６０を、配線覆い用カバー２の蝶着部に設置しているため、一層確実に配線覆い用カバー２の片下がりを矯正することができるといった効果を奏し得る。
【００２５】
また、実施形態の第２矯正金具２０のネジ止め部２２に設けられたネジ孔を、上記変更例の上下調整部６２同様、上下方向へ長い長孔としたり、実施形態の第１矯正金具１０のネジ孔１１を、上記変更例の左右調整部５２同様、左右方向へ長い長孔とすることは可能である。
さらに、変更例の第１矯正金具５０に矯正ネジ４０を設け、第２矯正金具６０の上下位置を矯正ネジ４０のねじ込み量により調整するように構成することも当然可能である。
【符号の説明】
【００２６】
１・・覆い立て、２・・配線覆い用カバー、１０・・第１矯正金具、１２・・ネジ孔、１３・・アーム片、１４・・案内部（上下調整部）、１５・・支持部、１６・・矯正孔（上下調整部）、２０・・第２矯正金具、２１・・基部、２２・・ネジ止め部、２３・・軸支部、４０・・矯正ネジ（上下調整部）、４１・・第１固定ネジ、４２・・第２固定ネジ、５０・・第１矯正金具、５１・・第１の案内部、５２・・左右調整部、５４・・支持突起（支持部）、５５・・案内凸条、６０・・第２矯正金具、６１・・基部、６２・・上下調整部、６４・・軸支部。
【図１】
0006560905.tif 000002
【図２】
0006560905.tif 000003
【図３】
0006560905.tif 000004
【図４】
0006560905.tif 000005
【図５】
0006560905.tif 000006
【図６】
0006560905.tif 000007
【図７】
0006560905.tif 000008
【図８】
0006560905.tif 000009
【図９】
0006560905.tif 000010